(57)【要約】  【課題】従来の防盗性と同等の性能を持ちながら、オペレーション操作を防盗カバーの開閉のみの最小限に抑え、オペレーション操作の軽減を図る。  【解決手段】扉２を閉めている状態の場合は扉２に取り付けられた係止片ｂ１０ｂが防盗カバー３ｂの係止片ａ１０ａに施錠状態となっており、扉２を開けて金銭回収しようとした場合には、ハンドル１１に取り付けられたリンク１６によって係止片ｂ１０ｂが開錠状態に摺動されるため、防盗カバー３ｂを開閉する操作において、付加される施錠開閉操作を軽減出来る。【選択図】図１
2006331166.tif 000002
【特許請求の範囲】
【請求項１】
自動販売機本体と、前記本体に軸支された扉と、前記扉に軸支された防盗カバーと、前記防盗カバーに設けられた平面部ａと、前記平面部ａに設けられた係止片ａと、前記係止片ａに設けられた穴ａと、前記扉に内設されたハンドルと、前記平面部ａに対向する位置に前記扉に設けられた前記ハンドルに連動する係止片ｂと、前記係止片ｂに設けられた溝と、前記扉に内設された前記本体と前記扉の施錠装置と、前記ハンドルに設けられた前記施錠装置及び前記係止片ｂのリンクと、前記扉に内設する前記防盗カバーによって覆われたコインメックと、前記扉に内設する前記防盗カバーによって覆われたビルバリデータとからなる自動販売機の防盗装置。
【請求項２】
前記係止片ｂと前記リンクを前記ハンドルの施錠方向に付勢する付勢手段を備えた請求項１に記載の自動販売機の防盗装置。
【請求項３】
自動販売機本体と、前記本体に軸支された扉と、前記扉に軸支された商品展示扉と、前記商品展示扉に設けられた平面部ｂと、前記平面部ｂに設けられた係止片ｃと、前記係止片ｃに設けられた穴ｃと、前記扉に内設されたハンドルと、前記平面部ｂに対向する位置に前記扉に設けられた前記ハンドルに連動する係止片ｂと、前記係止片ｂに設けられた溝と、前記扉に内設された前記本体と前記扉の施錠装置と、前記ハンドルに設けられた前記施錠装置及び前記係止片ｂのリンクとからなる自動販売機の防盗装置。
【請求項４】
前記係止片ｂと前記リンクを前記ハンドルの施錠方向に付勢する付勢手段を備えた請求項３に記載の自動販売機の防盗装置。
【発明の詳細な説明】
【技術分野】
【０００１】
本発明は自動販売機の防盗装置に関するものである。
【背景技術】
【０００２】
近年、自動販売機においては破壊による金銭盗難が増加していると同時に、その対応の為にオペレーション操作も増加している。
【０００３】
従来の自動販売機の防盗装置としては、外扉の背面側にロック付の防盗用小扉を設けた（例えば、特許文献１参照）ものがある。
【０００４】
以下、図面を参照しながら上記従来の自動販売機の防盗装置について説明する。図５は、従来の自動販売機の防盗装置の斜視図であり、図６は、従来の自動販売機の正面斜視図である。図５、図６に示すように、従来の自動販売機は、自動販売機本体１と、自動販売機本体１に軸支された扉２と、扉２に軸支された防盗カバー３ａと、扉２に内設された、防盗カバー３ａに覆われたコインメック４ａと、扉２に内設された、防盗カバー３ａに覆われたビルバリデータ４ｂと、防盗カバーに設けられたロック５と、ロック５を操作するキー６と、扉２に軸支されている商品展示扉７ａとから構成されている。
【０００５】
以上のように構成された自動販売機について、以下その動作を説明する。
【０００６】
まず、自動販売機の扉２が閉められている状態の時、キー６によってロック５を施錠させた防盗カバー３ａによってコインメック４ａとビルバリデータ４ｂは覆われている。この時金銭を狙った犯行者が扉２を無理やりこじ開けても、コインメック４ａとビルバリデータ４ｂは防盗カバー３ａによって保護されているため容易には金銭を盗み出すことは出来ない。
【特許文献１】特開平１１−３５３５４２号公報
【発明の開示】
【発明が解決しようとする課題】
【０００７】
しかしながら、従来の構成は、扉２を開けて金銭回収しようとした場合、いちいちキー６によってロック５を開錠しなければ防盗カバー３ａを開くことが出来ず、オペレーション操作負担が従来よりも大幅に増加しているという欠点があった。
【０００８】
本発明は従来の課題を解決するもので、従来の防盗性と同等の性能を持ちながら、オペレーション操作を防盗カバーの開閉のみの最小限に抑え、オペレーション操作の軽減を提供することを目的とする。
【０００９】
また、上記従来の構成は、扉２を開けて金銭回収しようとした場合、防盗性よりも、オペレーション操作を優先させたい場合に関しては非常に操作負担が多くなるという欠点があった。
【００１０】
本発明は従来の課題を解決するもので、オペレーション操作において防盗カバー３ａの開閉操作を無くしながら、被害にあいやすい扉２と商品展示扉７ａの隙間からのこじ開けに対して従来の防盗性と同等の性能を持たせ、また従来の商品展示扉の開閉操作と比べても負荷のない、オペレーション操作性を優先した防盗性確保を提供することを目的とする。
【課題を解決するための手段】
【００１１】
本発明の請求項１に記載の発明は、自動販売機本体と、前記本体に軸支された扉と、前記扉に軸支された防盗カバーと、前記防盗カバーに設けられた平面部ａと、前記平面部ａに設けられた係止片ａと、前記係止片ａに設けられた穴ａと、前記扉に内設されたハンドルと、前記平面部ａに対向する位置に前記扉に設けられた前記ハンドルに連動する係止片ｂと、前記係止片ｂに設けられた溝と、前記扉に内設された前記本体と前記扉の施錠装置と、前記ハンドルに設けられた前記施錠装置及び前記係止片ｂのリンクと、前記扉に内設する前記防盗カバーによって覆われたコインメックと、前記扉に内設する前記防盗カバーによって覆われたビルバリデータとからなり、扉を閉めている状態の場合は扉に取り付けられた係止片ｂが防盗カバーの係止片ａに施錠状態となっており、扉を開けて金銭回収しようとした場合には、ハンドルに取り付けられたリンクによって係止片ｂが開錠状態に摺動されるため、防盗カバーを開閉する操作において、付加される施錠開閉操作を軽減出来、オペレーション操作を防盗カバーの開閉のみの最小限に抑えることができる。
【発明の効果】
【００１２】
以上説明したように請求項１に記載の発明は、従来の防盗性と同等の性能を持ちながら、オペレーション操作を防盗カバーの開閉のみの最小限に抑え、オペレーション操作の軽減を提供できる。
【発明を実施するための最良の形態】
【００１３】
本発明の請求項１に記載の発明は、自動販売機本体と、前記本体に軸支された扉と、前記扉に軸支された防盗カバーと、前記防盗カバーに設けられた平面部ａと、前記平面部ａに設けられた係止片ａと、前記係止片ａに設けられた穴ａと、前記扉に内設されたハンドルと、前記平面部ａに対向する位置に前記扉に設けられた前記ハンドルに連動する係止片ｂと、前記係止片ｂに設けられた溝と、前記扉に内設された前記本体と前記扉の施錠装置と、前記ハンドルに設けられた前記施錠装置及び前記係止片ｂのリンクと、前記扉に内設する前記防盗カバーによって覆われたコインメックと、前記扉に内設する前記防盗カバーによって覆われたビルバリデータとからなり、扉を閉めている状態の場合は扉に取り付けられた係止片ｂが防盗カバーの係止片ａに施錠状態となっており、扉を開けて金銭回収しようとした場合には、ハンドルに取り付けられたリンクによって係止片ｂが開錠状態に摺動されるため、防盗カバーを開閉する操作において、付加される施錠開閉操作を軽減出来るという作用を有する。
【００１４】
請求項２に記載の発明は、請求項１記載の発明に、さらに前記係止片ｂ前記とリンクを前記ハンドルの施錠方向に付勢する付勢手段を備えたものであり、扉を閉めている状態の場合は扉に取り付けられた係止片ｂが防盗カバーの係止片ａに施錠状態となっており、扉を開けて金銭回収しようとした場合には、ハンドルに取り付けられたリンクによって係止片ｂが開錠状態に摺動されるため、防盗カバーを開閉する操作において、付加される施錠開閉操作を軽減出来るという作用と、扉を閉める時に扉に取り付けられた係止片ｂとリンクを施錠方向に付勢する事により摩擦によるハンドルの戻り不良を低減するという作用を有する。
【００１５】
請求項３に記載の発明は、自動販売機本体と、前記本体に軸支された扉と、前記扉に軸支された商品展示扉と、前記商品展示扉に設けられた平面部ｂと、前記平面部ｂに設けられた係止片ｃと、前記係止片ｃに設けられた穴ｃと、前記扉に内設されたハンドルと、前記平面部ｂに対向する位置に前記扉に設けられた前記ハンドルに連動する係止片ｂと、前記係止片ｂに設けられた溝と、前記扉に内設された前記本体と前記扉の施錠装置と、前記ハンドルに設けられた前記施錠装置及び前記係止片ｂのリンクとからなり、扉を閉めている状態の場合は扉に取り付けられた係止片ｂが商品展示扉に取り付けられた平面部ｂの係止片ｃに施錠状態となっており、扉を開けた場合には、ハンドルに取り付けられたリンクによって係止片ｂが開錠状態に摺動されるため、被害にあいやすい扉と商品展示扉の隙間からのこじ開けに対して従来の防盗性と同等の性能を持たせながら、従来の商品展示扉の開閉操作と比べても負荷のない、また金銭回収操作も容易に出来る、オペレーション操作性を優先した防盗性確保を提供する作用を有する。
【００１６】
請求項４に記載の発明は、請求項３に記載の発明に、さらに前記係止片ｂと前記リンクを前記ハンドルの施錠方向に付勢する付勢手段を備えたものであり、扉を閉めている状態の場合は扉に取り付けられた係止片ｂが商品展示扉に取り付けられた平面部ｂの係止片ｃに施錠状態となっており、扉を開けた場合には、ハンドルに取り付けられたリンクによって係止片ｂが開錠状態に摺動されるため、被害にあいやすい扉と商品展示扉の隙間からのこじ開けに対して従来の防盗性と同等の性能を持たせながら、従来の商品展示扉の開閉操作と比べても負荷のない、また金銭回収操作も容易に出来る、オペレーション操作性を優先した防盗性確保を提供する作用と、扉を閉める時に扉に取り付けられた係止片ｂとリンクを施錠方向に付勢する事により摩擦によるハンドルの戻り不良を低減するという作用を有する。
【００１７】
以下、本発明による自動販売機の防盗装置の実施の形態について図面を参照しながら説明する。なお、同一符号を付して詳細な説明を省略する。
【００１８】
（実施の形態１）
図１は、本発明の実施の形態１による自動販売機の防盗装置の扉閉時の斜視図である。図２は本発明の実施の形態１による自動販売機の防盗装置の扉開時の斜視図である。
【００１９】
図１，２に示すように、扉２は自動販売機本体１に軸支されており、平面部ａ８ａを有している防盗カバー３ｂは扉２に軸支されている。その平面部ａ８ａは穴ａ９ａを有した係止片ａ１０ａを設けられている。ハンドル１１は扉２に内設されており、長穴１２と穴ｂ９ｂと溝１３を有した係止片ｂ１０ｂはハンドル１１に連動し摺動可能であり、扉２の平面部ａ８ａに対向する位置に設けられている。穴ｄ９ｄを有した、本体１と扉２の施錠装置１４は扉２に内設されており、穴ｄ９ｄに係わっている係合片ａ１５ａと穴ｂ９ｂに係わっている係合片ｂ１５ｂを有した、施錠装置１４及び係止片ｂ１０ｂのリンク１６はハンドル１１に設けられている。防盗カバー３ｂによって覆われたコインメック４ａとビルバリデータ４ｂは扉２に内設されている。段付ビス１７は係止片ｂ１０ｂの長穴１２を通って扉２に固定されている。
【００２０】
以上にように構成された自動販売機の防盗装置について、以下その動作を説明する。
【００２１】
まず、扉２が閉まっている状態の時、ハンドル１１の位置によって係合片ｂ１５ｂの位置が決まり、その係合片ｂ１５ｂによって係止片ｂ１０ｂの溝１３は穴ａ９ａに係っている状態にある。この時防盗カバー３ｂは施錠されている。
【００２２】
次に、ハンドル１１を反時計回りに回転させて穴ｄ９ｄを上部に移動させ施錠装置１４を解錠させて扉２を開ける。この時ハンドル１１は待機状態にある。解錠の時に、その動作に追随して係合片ｂ１５ｂもハンドル１１の回転軸を中心に回転し、段付ビス１７に長穴１２が沿って溝１３は穴ａ９ａから離れて解錠される。そして扉２を開けて防盗カバー３ｂを容易に開け金銭回収等を行うことが出来る。
【００２３】
以上のように本実施の形態の自動販売機の防盗装置は自動販売機本体１と、本体１に軸支された扉２と、扉２に軸支された防盗カバー３ｂと、防盗カバー３ｂに設けられた平面部ａ８ａと、平面部ａ８ａに設けられた係止片ａ１０ａと、係止片ａ１０ａに設けられた穴ａ９ａと、扉２に内設されたハンドル１１と、平面部ａ８ａに対向する位置に扉２に設けられたハンドル１１に連動する係止片ｂ１０ｂと、係止片ｂ１０ｂに設けられた溝１３と、扉２に内設された本体１と扉２の施錠装置１４と、ハンドル１１に設けられた施錠装置１４及び係止片ｂ９ｂのリンク１６と、扉２に内設する防盗カバー３ｂによって覆われたコインメック４ａと、扉２に内設する防盗カバー３ｂによって覆われたビルバリデータ４ｂとから構成されているので、従来の防盗性と同等の性能を持ちながら、オペレーション操作を防盗カバーの開閉のみの最小限に抑え、オペレーション操作の軽減を提供できる。
【００２４】
（実施の形態２）
図１は、本発明の実施の形態２による自動販売機の防盗装置の扉閉時の斜視図である。図２は本発明の実施の形態２による自動販売機の防盗装置の扉開時の斜視図である。
【００２５】
図１、図２において付勢手段１８は係止片ｂ１０ｂが有している穴ｅ９ｅと扉２が有している穴ｆ９ｆに取り付けられている。
【００２６】
本実施の形態は、実施の形態１による自動販売機の防盗装置に、さらに係止片ｂ１０ｂとリンク１６をハンドル１１の施錠方向に付勢する付勢手段１８を設けたものである。
【００２７】
以上のように構成された自動販売機の防盗装置について、以下その動作を説明する。
【００２８】
まず、扉２が閉まっている状態の時、ハンドル１１の位置によって係合片ｂ１５ｂの位置が決まり、その係合片ｂ１５ｂによって係止片ｂ１０ｂの溝１３は穴ａ９ａに係っている状態にある。この時防盗カバー３ｂは施錠されている。
【００２９】
次に、ハンドル１１を反時計回りに回転させて穴ｄ９ｄを上部に移動させ施錠装置１４を解錠させて扉２を開ける。この時ハンドル１１は待機状態にある。解錠の時に、その動作に追随して係合片ｂ１５ｂもハンドル１１の回転軸を中心に回転し、段付ビス１７に長穴１２が沿って溝１３は穴ａ９ａから離れて解錠される。そして扉２を開けて防盗カバー３ｂを容易に開け金銭回収等を行うことが出来る。
【００３０】
また、オペレーション操作後に扉２を閉める場合、施錠装置１４の施錠方向への摺動とともに穴ｄ９ｄが下部に移動し、その動作に追随して溝１３が穴ａ９ａに施錠されるが、この時付勢手段１８によって係止片ｂ１０ｂの摺動による摩擦力を軽減しハンドル１１の戻り不良を低減できる。
【００３１】
以上のように本実施の形態の自動販売機の防盗装置は、自動販売機本体１と、本体１に軸支された扉２と、扉２に軸支された防盗カバー３ｂと、防盗カバー３ｂに設けられた平面部ａ８ａと、平面部ａ８ａに設けられた係止片ａ１０ａと、係止片ａ１０ａに設けられた穴ａ９ａと、扉２に内設されたハンドル１１と、平面部ａ８ａに対向する位置に扉２に設けられたハンドル１１に連動する係止片ｂ１０ｂと、係止片ｂ１０ｂに設けられた溝１３と、扉２に内設された本体１と扉２の施錠装置１４と、ハンドル１１に設けられた施錠装置１３及び係止片ｂ１０ｂのリンク１６と、扉２に内設する防盗カバー３ｂによって覆われたコインメック４ａと、扉２に内設する防盗カバー３ｂによって覆われたビルバリデータ４ｂと、係止片ｂ１０ｂとリンク１６をハンドル１１の施錠方向に付勢する付勢手段１８とから構成されているので、従来の防盗性と同等の性能を持ちながら、オペレーション操作を防盗カバー３ｂの開閉のみの最小限に抑え、オペレーション操作の軽減を提供できるとともに、摩擦によるハンドル１１の戻り不良を低減できる。
【００３２】
（実施の形態３）
図３は、本発明の実施の形態３による自動販売機の防盗装置の扉閉時の斜視図である。図４は本発明の実施の形態３による自動販売機の防盗装置の扉開時の斜視図である。
【００３３】
図３、図４に示すように扉２は自動販売機本体１に軸支されており、平面部ｂ８ｂを設けられた商品展示扉７ｂは扉２に軸支されている。その平面部ｂ８ｂは穴ｃ９ｃを有した係止片ｃ１０ｃを設けられている。ラッチ受け１９は商品展示扉７ｂに設けられており、ラッチ２０は扉２のラッチ受け１９の対向する位置に可動可能に設けられている。ハンドル１１は扉２に内設されており、長穴１２と穴ｂ９ｂと溝１３を有した係止片ｂ１０ｂはハンドル１１に連動し摺動可能であり、扉２の平面部ｂ８ｂに対向する位置に設けられている。穴ｄ９ｄを有した、本体１と扉２の施錠装置１４は扉２に内設されており、穴ｄ９ｄに係わっている係合片ａ１５ａと穴ｂ９ｂに係わっている係合片ｂ１５ｂを有した、施錠装置１４及び係止片ｂ１０ｂのリンク１６はハンドル１１に設けられている。段付ビス１７は係止片ｂ１０ｂの長穴１２を通って扉２に固定されている。
【００３４】
以上にように構成された自動販売機の防盗装置について、以下その動作を説明する。
【００３５】
まず、扉２が閉まっている状態の時、ハンドル１１の位置によって係合片ｂ１５ｂの位置が決まり、その係合片ｂ１５ｂによって係止片ｂ１０ｂの溝１３は穴ｃ９ｃに係っている状態にある。この時商品展示扉７ｂは施錠されている。
【００３６】
次に、ハンドル１１を反時計回りに回転させて穴ｄ９ｄを上部に移動させ施錠装置１４を解錠させて扉２を開ける。この時ハンドル１１は待機状態にある。解錠の時に、その動作に追随して係合片ｂ１５ｂもハンドル１１の回転軸を中心に回転し、段付ビス１７に長穴１２が沿って溝１３は穴ａ９ａから離れて解錠される。そして扉２を開けて金銭回収等を容易に行うことが出来る。
【００３７】
また、商品展示扉を開ける場合にも、従来と同操作であるラッチ２０をラッチ受け１９より外すことのみで行うことが出来る。
【００３８】
以上のように本実施の形態の自動販売機の防盗装置は、自動販売機本体１と、本体１に軸支された扉２と、扉２に軸支された商品展示扉７ｂと、商品展示扉７ｂに設けられた平面部ｂ８ｂと、平面部ｂ８ｂに設けられた係止片ｃ１０ｃと、係止片ｃ１０ｃに設けられた穴ｃ９ｃと、扉２に内設されたハンドル１１と、平面部ｂ８ｂに対向する位置に扉２に設けられたハンドル１１に連動する係止片ｂ１０ｂと、係止片ｂ１０ｂに設けられた溝１３と、扉２に内設された本体２と扉２の施錠装置１４と、ハンドル１１に設けられた施錠装置１４及び係止片ｂ１０ｂのリンク１６とから構成されているので、被害にあいやすい扉２と商品展示扉１９の隙間からのこじ開けに対して従来の防盗性と同等の性能を持たせながら、商品展示扉７ｂの開閉操作も従来に比べて負荷のない、また金銭回収操作も容易に出来る、オペレーション操作性を優先した防盗性確保を提供できる。
【００３９】
（実施の形態４）
図３は、本発明の実施の形態４による自動販売機の防盗装置の扉閉時の斜視図である。図４は本発明の実施の形態４による自動販売機の防盗装置の扉開時の斜視図である。
【００４０】
図３、図４において、付勢手段１８は係止片ｂ１０ｂが有している穴ｅ９ｅと扉２が有している穴ｆ９ｆに取り付けられている。
【００４１】
本実施の形態は、実施の形態３による自動販売機の防盗装置に、さらに係止片ｂ１０ｂとリンク１６をハンドル１１の施錠方向に付勢する付勢手段１８を設けたものである。
【００４２】
以上のように構成された自動販売機の防盗装置について、以下その動作を説明する。
【００４３】
まず、扉２が閉まっている状態の時、ハンドル１１の位置によって係合片ｂ１５ｂの位置が決まり、その係合片ｂ１５ｂによって係止片ｂ１０ｂの溝１３は穴ｃ９ｃに係っている状態にある。この時商品展示扉７ｂは施錠されている。
【００４４】
次に、ハンドル１１を反時計回りに回転させて穴ｄ９ｄを上部に移動させ施錠装置１４を解錠させて扉２を開ける。この時ハンドル１１は待機状態にある。解錠の時に、その動作に追随して係合片ｂ１５ｂもハンドル１１の回転軸を中心に回転し、段付ビス１７に長穴１２が沿って溝１３は穴ａ９ａから離れて解錠される。そして扉２を開けて金銭回収等を容易に行うことが出来る。
【００４５】
また、オペレーション操作後に扉２を閉める場合、施錠装置１４の施錠方向への摺動とともに穴ｄ９ｄが下部に移動し、その動作に追随して溝１３が穴ｃ９ｃに施錠されるが、この時付勢手段１８によって係止片ｂ１０ｂの摺動による摩擦力を軽減しハンドル１１の戻り不良を低減できる。
【００４６】
以上のように本実施形態の自動販売機の防盗装置は、自動販売機本体１と、本体１に軸支された扉２と、扉２に軸支された商品展示扉７ｂと、商品展示扉７ｂに設けられた平面部ｂ８ｂと、平面部ｂ８ｂに設けられた係止片ｃ１０ｃと、係止片ｃ１０ｃに設けられた穴ｃ９ｃと、扉２に内設されたハンドル１１と、平面部ｂ８ｂに対向する位置に扉２に設けられたハンドル１１に連動する係止片ｂ１０ｂと、係止片ｂ１０ｂに設けられた溝１３と、扉２に内設された本体２と扉２の施錠装置１４と、ハンドル１１に設けられた施錠装置１４及び係止片ｂ１０ｂのリンク１６と、係止片ｂ１０ｂとリンク１６をハンドル１１の施錠方向に付勢する付勢手段１８とから構成されているので、被害にあいやすい扉２と商品展示扉７ｂの隙間からのこじ開けに対して従来の防盗性と同等の性能を持たせながら、商品展示扉７ｂの開閉操作も従来に比べて負荷のない、また金銭回収操作も容易に出来る、オペレーション操作性を優先した防盗性確保を提供できるとともに、摩擦によるハンドル１１の戻り不良を低減できる。
【産業上の利用可能性】
【００４７】
以上のように、本発明にかかる自動販売機の防盗装置は、オペレーション操作を防盗カバーの開閉のみの最小限に抑え、オペレーション操作の軽減を提供できるので、自動販売機以外に金銭や商品を収容する他の機器の防盗構造としても適用が可能である。
【図面の簡単な説明】
【００４８】
【図１】本発明による自動販売機の防盗装置の実施の形態１、２の扉閉時の斜視図
【図２】本発明による自動販売機の防盗装置の実施の形態１、２の扉開時の斜視図
【図３】本発明による自動販売機の防盗装置の実施の形態３，４の扉閉時の斜視図
【図４】本発明による自動販売機の防盗装置の実施の形態３、４の扉開時の斜視図
【図５】従来の自動販売機の防盗装置の斜視図
【図６】従来の自動販売機の正面斜視図
【符号の説明】
【００４９】
１    自動販売機本体
２    扉
３ｂ  防盗カバー
４ａ  コインメック
４ｂ  ビルバリデータ
７ｂ  商品展示扉
８ａ  平面部ａ
８ｂ  平面部ｂ
９ａ  穴ａ
９ｃ  穴ｃ
１０ａ  係止片ａ
１０ｂ  係止片ｂ
１０ｃ  係止片ｃ
１１  ハンドル
１３  溝
１４  施錠装置
１６  リンク
１８  付勢手段
【図１】
2006331166.tif 000003
【図２】
2006331166.tif 000004
【図３】
2006331166.tif 000005
【図４】
2006331166.tif 000006
【図５】
2006331166.tif 000007
【図６】
2006331166.tif 000008